(57)【要約】【目的】  光ディスク上に形成されるピット情報からなる情報トラックを、末尾より逆順で情報トラック形成のための露光信号を発生させることができるようにする。【構成】  コントローラ３′は、元データ格納部１に格納された元データを順次読み出し、その元データをエンコーダ１６で先頭から順次エンコード処理し、そのエンコードデータをピットデータ更新回路４へ出力する際の出力データ長毎に最終データより先頭データに向けて逆順でエンコードデータ格納部１４へ出力する。エンコードデータ格納部１４′は、コントローラ３′から出力されたエンコードデータをピットデータ更新回路４へ出力する際の出力データ長毎に最終データより先頭データに向けて逆順で格納する。Ｐ／Ｓ変換回路１５′は、ピットデータ更新回路４から出力されたパラレルデータをシリアルなピット露光信号に変換し、そのピット露光信号の最下位ビットから先に順次出力する。【選択図】        図１
2005332523.tif 000002
【特許請求の範囲】
【請求項１】
光ディスク原盤露光工程において、光ディスク上にピット列からなる情報トラックを形成しようとする元データを格納する元データ格納手段と、該元データ格納手段に格納された元データを順次読み出し、その読み出した元データを先頭から順次エンコード処理してエンコード処理し、該エンコード処理によって得られたエンコードデータを出力するエンコード処理出力手段と、該エンコード処理出力手段によって出力されたエンコードデータを格納するエンコードデータ格納手段と、該エンコードデータ格納手段に格納されたエンコードデータを順次読み出して出力するエンコードデータ読出出力手段と、該エンコードデータ読出出力手段によって出力されたエンコードデータを格納し、該格納されたエンコードデータを所定のカウント値に基づいてパラレルデータとして出力するパラレルデータ出力手段と、該パラレルデータ出力手段によって出力されたパラレルデータをシリアルなピット露光信号に変換して出力するパラレルシリアル変換出力手段とを備えたピット露光信号発生装置において、
前記エンコード処理出力手段は、前記元データ格納手段に格納された元データを順次読み出し、その読み出した元データを先頭から順次エンコード処理し、該エンコード処理によって得られたエンコードデータを前記パラレルデータ出力手段へ出力する際の出力データ長毎に最終データより先頭データに向けて逆順で出力し、前記パラレルシリアル変換手段は、前記パラレルデータ出力手段から出力されたパラレルデータをシリアルなピット露光信号に変換し、該ピット露光信号の最下位ビットから先に順次出力することを特徴とするピット露光信号発生装置。
【請求項２】
光ディスク原盤露光工程において、光ディスク上にピット列からなる情報トラックを形成しようとする元データを格納する元データ格納手段と、該元データ格納手段に格納された元データを順次読み出し、その読み出した元データを先頭から順次エンコード処理してエンコード処理し、該エンコード処理によって得られたエンコードデータを出力するエンコード処理出力手段と、該エンコード処理出力手段によって出力されたエンコードデータを格納するエンコードデータ格納手段と、該エンコードデータ格納手段に格納されたエンコードデータを順次読み出して出力するエンコードデータ読出出力手段と、該エンコードデータ読出出力手段によって出力されたエンコードデータを格納し、該格納されたエンコードデータを所定のカウント値に基づいてパラレルデータとして出力するパラレルデータ出力手段と、該パラレルデータ出力手段によって出力されたパラレルデータをシリアルなピット露光信号に変換して出力するパラレルシリアル変換出力手段とを備えたピット露光信号発生装置において、
前記エンコードデータ読出出力手段は、前記エンコードデータ格納手段に格納されたエンコードデータを、前記パラレルデータ出力手段へ出力する際の出力データ長毎に最終データより先頭データに向けて逆順で順次読み出して出力することを特徴とするピット露光信号発生装置。
【請求項３】
光ディスク原盤露光工程において、光ディスク上にウォブル列からなる情報トラックを形成しようとする元データを格納する元データ格納手段と、該元データ格納手段に格納された元データを順次読み出し、その読み出した元データを先頭から順次ウォブルエンコード処理し、該ウォブルエンコード処理によって得られた波形指定データを生成して出力する波形指定データ生成出力手段と、該波形指定データ生成出力手段によって出力された波形指定データを格納する波形指定データ格納手段と、該波形指定データ格納手段に格納された波形指定データを順次読み出して出力する第１の波形指定データ読出出力手段と、該第１の波形指定データ読出出力手段によって出力された波形指定データを格納し、該格納された波形指定データを所定のカウント値に基づいて出力する第２の波形指定データ読出出力手段と、該第２の波形指定データ読出出力手段によって出力された波形指定データをウォブル波形のウォブル露光信号として出力するウォブル波形生成出力手段とを備えたウォブル露光信号生成装置において、
前記波形指定データ生成出力手段は、前記元データ格納手段に格納された元データを順次読み出し、その読み出した元データを先頭より順次ウォブルエンコード処理し、該ウォブルエンコード処理によって得られた波形指定データを生成し、該生成された波形指定データを最終データより先頭データに向けて逆順にし、且つその波形指定データの波形を時間反転した波形にして出力することを特徴とするウォブル露光信号発生装置。
【請求項４】
光ディスク原盤露光工程において、光ディスク上にウォブル列からなる情報トラックを形成しようとする元データを格納する元データ格納手段と、該元データ格納手段に格納された元データを順次読み出し、その読み出した元データを先頭から順次ウォブルエンコード処理し、該ウォブルエンコード処理によって得られた波形指定データを生成して出力する波形指定データ生成出力手段と、該波形指定データ生成出力手段によって出力された波形指定データを格納する波形指定データ格納手段と、該波形指定データ格納手段に格納された波形指定データを順次読み出して出力する第１の波形指定データ読出出力手段と、該第１の波形指定データ読出出力手段によって出力された波形指定データを格納し、該格納された波形指定データを所定のカウント値に基づいて出力する第２の波形指定データ読出出力手段と、該第２の波形指定データ読出出力手段によって出力された波形指定データをウォブル波形のウォブル露光信号として出力するウォブル波形生成出力手段とを備えたウォブル露光信号生成装置において、
前記波形指定データ生成出力手段は、前記元データ格納手段に格納された元データを順次読み出し、その読み出した元データを先頭より順次ウォブルエンコード処理し、該ウォブルエンコード処理によって得られた波形指定データを生成し、該生成された波形指定データの波形を時間反転した波形にして出力し、前記第１の波形指定データ読出出力手段は、前記波形指定データ格納手段に格納された波形指定データを最終データより先頭データに向けて逆順にして読み出して出力することを特徴とするウォブル露光信号発生装置。
【請求項５】
請求項３又は４記載のウォブル露光信号発生装置において、
前記ウォブル波形生成出力手段に、通常の波形指定データと時間反転された波形指定データを対で格納する手段を設けたことを特徴とするウォブル露光信号発生装置。
【請求項６】
請求項１又は２記載のピット露光信号発生装置によって出力されたピット露光信号に基づいて前記光ディスク上に形成する情報トラックを末尾より逆順で露光形成することを特徴とする光ディスク原盤の露光方法。
【請求項７】
請求項３又は４記載のウォブル露光信号発生装置によって出力されたウォブル露光信号に基づいて前記光ディスク上に形成する情報トラックを末尾より逆順で露光形成することを特徴とする光ディスク原盤の露光方法。
【請求項８】
請求項３又は４記載のピット露光信号発生装置において、
前記光ディスク上に形成される情報トラック形成信号を先頭より順次発生させる場合と末尾より逆順で発生させる場合の切り替え手段を設けたことを特徴とするピット露光信号発生装置。
【請求項９】
請求項３乃至５のいずれか一項に記載のウォブル露光信号発生装置において、
前記光ディスク上に形成される情報トラック形成信号を先頭より順次発生させる場合と末尾より逆順で発生させる場合の切り替え手段を設けたことを特徴とするウォブル露光信号発生装置。
【請求項１０】
請求項８記載のピット露光信号発生装置又は請求項９記載のウォブル露光信号発生装置を搭載し、且つターンテーブル回転方向切り替え手段を有することを特徴とする光ディスク原盤露光装置。
【請求項１１】
請求項１０の光ディスク原盤露光装置で用いる光ディスクであって、情報トラックが内周から外周へ向けて形成された第１のディスクと、情報トラックが外周から内周へ向けて形成された第２のディスクとを貼り合わせ、前記第１のディスク及び前記第２のディスクに対して同一露光方向で露光されるようにしたことを特徴とする光ディスク。
【発明の詳細な説明】
【技術分野】
【０００１】
この発明は、ピット露光信号発生装置，ウォブル露光信号発生装置，光ディスク原盤の露光方法，光ディスク原盤露光装置，光ディスクに関する。
【背景技術】
【０００２】
近年、高画質動画像の記録、アクセス速度の速い大容量のストレージ媒体として、光ディスクメディアに対する大容量化の要望が高まっている。
大容量化の方法としては、幾つかの方法があり、近接場光等を用いた記録再生ビームスポット，トラックピッチ，ピット長を更に小さく形成して実現する方法、記録層の多層化，記録情報の多値化などの方法が提案・検討されている。
【０００３】
上記多層化の例として、従来、２層式の光ディスクに情報を記録する方法は、記録すべき情報を読み取り、その読み取られた情報を時分割によって２群に分割し、かつアドレスを付与し、その２群に分割されたアドレス付き情報のそれぞれを記憶し、その記憶された２群の情報に従って光ディスク原盤をカッティングして２群に分割されたアドレス付き情報のそれぞれに対応する２個のスタンパを作成し、その作成された２個のスタンパのそれぞれを用いて２個の光ディスクを成形し、その成形された２個の光ディスクを貼り合わせた２層式の光ディスクに情報を記録し、その再生においては再生情報の転送レートに重きを置き、張合わされた２枚のディスクを２つのピックアップを用いて同時再生する装置（例えば、特許文献１参照）があった。
【０００４】
あるいは、図１３に示すように、一方のディスクの情報トラック７２をディスク内周から外周へむけて形成し（仮に第１ディスク７０とする）、もう一方のディスクには外周から内周へ向けて情報トラックを形成し（第２ディスク７１とする）ディスク回転を同一のまま第１ディスク７０を内周から外周へむけて再生し、続けてもう一方の第２ディスク７１を外周から内周へ向けて再生を行えるように構成する方法がある。
後者において、それぞれのディスクを成形するためのスタンパを作成する際、従来の光ディスク原盤露光装置では情報トラックの再生方向に露光動作を行うのが常であった。
すなわち、第１ディスク７０用の原盤露光は外周から内周へ向けて露光されてきた。
図１４に示すように、第１ディスク７０と第２ディスク７１の記録領域は、インフォメーションエリア７３に、それぞれデータエリア７４，リードインエリア７５，リードアウトエリア７６を備えている。
【０００５】
ところで、ディスク規格として、第１ディスク７０のデータエリア７４の開始位置、第２ディスク７１のデータエリア７４の終了位置、すなわち両ディスクのデータエリア７４の内周端には、公差（半径２４．０＋０．０／−０．２ｍｍ）が設けられている。
第１ディスク７０では露光開始からデータエリア７４の開始位置までの距離が短く比較的公差内に合せ易い。一方、第２ディスク７１では露光開始からデータエリア７４の終了位置（終了端）までの距離が長く、この位置を公差内に入れることは露光開始位置の検出精度及び形成されるトラックピッチ精度によって比較的難しい。
なお、両ディスクの内周域、すなわち第１ディスク７０においてはリードインエリア７５に、第２ディスク７１においてはリードアウトエリア７６にそれぞれ、そのディスクに関する各種制御情報等のデータが書き込まれる。
【０００６】
図１５は、従来のピット露光信号生成装置の構成例を示す図である。
図１６は、図１５に示すピット露光信号発生装置における各処理段階のデータ格納とデータ出力の処理の説明図である。
この従来のピット露光信号生成装置の光ディスク原盤露光工程において、光ディスク上にピット列からなる情報トラックを形成しようとする元データ〔ＡＢ…ＹＺ〕を元データ格納部１（元データ格納手段に相当する）に格納する。
次に、コントローラ３（エンコード処理出力手段に相当する）が、元データ格納部１に格納された元データを順次読み出し、その読み出した元データを先頭から順にエンコーダ６（エンコード手段に相当する）によってエンコード処理（処理１′）し（図１６の（ａ）参照）、そのエンコード処理によって得られたエンコードデータ〔Ａ′Ｂ′…Ｙ′Ｚ′〕をエンコードデータ格納部２へ出力する。エンコードデータ格納部２（エンコードデータ格納手段に相当する）は、エンコードデータ〔Ａ′Ｂ′…Ｙ′Ｚ′〕を格納する。
【０００７】
次に、コントローラ３（エンコードデータ読出出力手段に相当する）が、エンコードデータ格納部２に格納されたエンコードデータを順次読み出し、ピットデータ更新回路４へ出力して書き込み（処理２′）を行う（図１６の（ｂ）参照）。
ピットデータ更新回路４（パラレルデータ出力手段に相当する）は、それぞれエンコードデータを格納する第１セクタＲＡＭ９と第２セクタＲＡＭ１０を有し、第１セクタＲＡＭ９と第２セクタＲＡＭ１０から順次書き込まれたエンコードデータを順次読み出してパラレルシリアル変換回路（Ｐ／Ｓ変換回路）５へ出力させるための所定のカウント値をカウントして出力するアドレスカウンタ１３と、アドレスカウンタ１３から出力されるカウント値に基づいてコントローラ３から出力されるアドレスデータを第１セクタＲＡＭ９又は第２セクタＲＡＭ１０へ出力させる第１アドレスライン切換回路１１と第２アドレスライン切換回路１２と、コントローラ３から出力されるエンコードデータを第１セクタＲＡＭ９又は第２セクタＲＡＭ１０へ出力するようにデータラインを切り換える第１データライン切換回路７と、第１セクタＲＡＭ９と第２セクタＲＡＭ１０に格納されたエンコードデータをパラレルデータとしてＰ／Ｓ変換回路５へ出力するようにデータラインを切り換える第２データライン切換回路８とを備えている。
【０００８】
ピットデータ更新回路４は、第１データライン切換回路７と第２データライン切換回路８、及び第１アドレスライン切換回路１１と第２アドレスライン切換回路１２を交互に切り換え、コントローラ３の制御により第１セクタＲＡＭ９又は第２セクタＲＡＭ１０にエンコードデータを書き込み、次に出力するエンコードデータの更新処理（処理２′）を行う。その時、もう一方のセクタＲＡＭからアドレスカウンタ１３のカウント値に応じて順次エンコードデータをパラレルデータとしてＰ／Ｓ変換回路５へ出力する（図１６の（ｃ）参照）。
Ｐ／Ｓ変換回路５（パラレルシリアル変換出力手段に相当する）は、ピットデータ更新回路４から出力されたパラレルデータをシリアルなピット露光信号に変換して出力する（図１６の（ｄ）参照）。
ここで、Ｐ／Ｓ変換回路５からのピット露光信号（シリアルデータ）の出力は最上位ビットを先頭にして出力される。
【０００９】
図１６に示すように、エンコード処理後のエンコードデータはアドレス下位からアドレス上位へ向けて格納され（図１６の（ｂ）参照）、処理２′におけるエンコードデータの読み出しはエンコードデータ列の下位アドレスから上位へ向けて順番に読み出し、第１セクタＲＡＭ９又は第２セクタＲＡＭ１０への書き込みもアドレス下位からアドレス上位へ向けて順番に書き込まれる（図１６の（ｃ）参照）。
このようにして、エンコードデータを連続したピット露光信号として出力することができる。
【００１０】
図１７は、従来のウォブル露光信号生成装置の構成例を示す図である。
図１８は、図１７に示すウォブル露光信号発生装置における各処理段階のデータ格納とデータ出力の処理の説明図である。
この従来のウォブル露光信号生成装置の光ディスク原盤露光工程において、光ディスク上にウォブル列からなる情報トラックを形成しようとする元データ〔ａｂ…ｙｚ〕を元データ格納部２１（元データ格納手段に相当する）に格納する。
次に、コントローラ２３（エンコード処理出力手段に相当する）が、元データ格納部２１に格納された元データを順次読み出し、その読み出した元データを先頭から順次ウォブルエンコーダ２６（ウォブルエンコード手段に相当する）によってウォブルエンコード処理（処理３′）し（図１８の（ａ）参照）、そのウォブルエンコード処理によって得られた波形指定データ〔ａ′ｂ′…ｙ′ｚ′〕を生成して波形指定データ格納部２２へ出力する。波形指定データ格納部２２（波形指定データ格納手段に相当する）は、波形指定データ〔ａ′ｂ′…ｙ′ｚ′〕を格納する。
【００１１】
次に、コントローラ２３（第１の波形指定データ読出出力手段に相当する）が、波形指定データ格納部２２に格納された波形指定データを順次読み出し、波形指定データ更新回路２４へ出力して書き込み（処理４′）を行う（図１８の（ｂ）参照）。
波形指定データ更新回路２４（第２の波形指定データ読出出力手段に相当する）は、それぞれ波形指定データを格納する第１セクタＲＡＭ２９と第２セクタＲＡＭ３０を有し、第１セクタＲＡＭ２９と第２セクタＲＡＭ３０から順次書き込まれた波形指定データを順次読み出してウォブル波形生成回路２５へ出力させるための所定のカウント値をカウントして出力するアドレスカウンタ３３と、アドレスカウンタ３３から出力されるカウント値に基づいてコントローラ２３から出力されるアドレスデータを第１セクタＲＡＭ２９又は第２セクタＲＡＭ３０へ出力させる第１アドレスライン切換回路３１と第２アドレスライン切換回路３２と、コントローラ２３から出力される波形指定データを第１セクタＲＡＭ２９又は第２セクタＲＡＭ３０へ出力するようにデータラインを切り換える第１データライン切換回路２７と、第１セクタＲＡＭ２９と第２セクタＲＡＭ３０に格納された波形指定データをウォブル波形生成回路２５へ出力するようにデータラインを切り換える第２データライン切換回路２８とを備えている。
【００１２】
波形指定データ更新回路２４は、第１データライン切換回路２７と第２データライン切換回路２８、及び第１アドレスライン切換回路３１と第２アドレスライン切換回路３２を交互に切り換え、コントローラ２３の制御により第１セクタＲＡＭ２９又は第２セクタＲＡＭ３０に波形指定データを書き込み、次に出力する波形指定データの更新処理（処理４′）を行う。その時、もう一方のセクタＲＡＭからアドレスカウンタ３３のカウント値に応じて順次波形指定データをウォブル波形生成回路２５へ出力する（図１８の（ｃ）参照）。
ウォブル波形生成回路２５（ウォブル波形生成出力手段に相当する）は、波形指定データ更新回路２４から出力された波形指定データをウォブル波形のウォブル露光信号として出力する（図１８の（ｄ）参照）。
【００１３】
ここで、Ｐ／Ｓ変換回路５からのピット露光信号（シリアルデータ）の出力は最上位ビットを先頭にして出力される。
このようにして、ウォブルエンコード処理された波形指定データを連続したウォブル露光信号として出力することができる。
図１９は、従来のウォブル波形（ウォブル信号）生成回路の構成を示す図である。
従来のウォブル波形生成回路は、波形指定データ更新回路２４から出力される波形指定データを上位アドレスに入力し、波形指定データ更新回路２４のアドレスカウンタ３３からのカウント値を下位アドレスに入力する波形データＲＡＭ８０と、波形データＲＡＭ８０の出力値をアナログ信号であるウォブル露光信号に変換するデジタルアナログ（Ｄ／Ａ）変換回路８１より構成されている。
【００１４】
図１８に示すように、ウォブルエンコード処理後の波形指定データはアドレス下位からアドレス上位へ向けて格納され（図１８の（ｂ）参照）、処理４′における波形指定データの読み出しは波形指定データ列の下位アドレスから上位アドレスへ向けて順番に読み出し、第１セクタＲＡＭ２９又は第２セクタＲＡＭ３０への書き込みもアドレス下位からアドレス上位へ向けて順番に書き込まれる（図１８の（ｃ）参照）。
このようにして、波形指定データを連続したウォブル露光信号として出力することができる。
【特許文献１】特開平１０−４０５９５号公報
【発明の開示】
【発明が解決しようとする課題】
【００１５】
しかしながら、従来の技術では、光ディスク上に形成されるピット情報からなる情報トラックを、末尾より逆順で情報トラック形成のための露光信号を発生させることができないという問題があった。
また、光ディスク上に形成されるウォブル情報からなる情報トラックを、末尾より逆順で情報トラック形成のための露光信号を発生させることができないという問題があった。
さらに、各ウォブル波形の時間反転した波形指定を容易にできないという問題があった。
【００１６】
また、情報トラックがディスク外周から内周へ向けて形成され、データエリアの内周端の半径位置を公差内に容易に収めることができないという問題があった。
さらに、光ディスク上に形成される情報トラック形成信号を先頭より順時発生させる場合と末尾より逆順で発生させる場合のどちらにも対応可能なフォーマット信号を発生できないという問題があった。
また、光ディスク上に形成される情報トラック形成信号を先頭より順時露光する場合と末尾より逆順で露光する場合のどちらにも対応可能な光ディスク原盤を露光できないという問題があった。
【００１７】
この発明は上記の点に鑑みてなされたものであり、光ディスク上に形成されるピット情報からなる情報トラックを、末尾より逆順で情報トラック形成のための露光信号を発生させることができるようにすることを第１の目的とする。
また、光ディスク上に形成されるウォブル情報からなる情報トラックを、末尾より逆順で情報トラック形成のための露光信号を発生させることができるようにすることを第２の目的とする。
さらに、各ウォブル波形の時間反転した波形指定を容易にできるようにすることを第３の目的とする。
また、情報トラックがディスク外周から内周へ向けて形成され、データエリアの内周端の半径位置を公差内に容易に収めることが可能な露光方法を提供することを第４の目的とする。
【００１８】
さらに、光ディスク上に形成される情報トラック形成信号を先頭より順時発生させる場合と末尾より逆順で発生させる場合のどちらにも対応可能なフォーマット信号を発生させることができるようにすることを第５の目的とする。
また、光ディスク上に形成される情報トラック形成信号を先頭より順時露光する場合と末尾より逆順で露光する場合のどちらにも対応可能な光ディスク原盤を露光できるようにすることを第６の目的とする。
さらに、２層式の光ディスクの一方のディスクのデータエリアの開始位置（開始半径位置）およびもう一方のディスクのデータエリアの終了位置（終了半径位置）が規格内に入った光ディスクを提供することを第７の目的とする。
【課題を解決するための手段】
【００１９】
この発明は上記の第１の目的を達成するため、次の（１）（２）のピット露光信号発生装置を提供する。
（１）光ディスク原盤露光工程において、光ディスク上にピット列からなる情報トラックを形成しようとする元データを格納する元データ格納手段と、その元データ格納手段に格納された元データを順次読み出し、その読み出した元データを先頭から順次エンコード処理してエンコード処理し、そのエンコード処理によって得られたエンコードデータを出力するエンコード処理出力手段と、そのエンコード処理出力手段によって出力されたエンコードデータを格納するエンコードデータ格納手段と、そのエンコードデータ格納手段に格納されたエンコードデータを順次読み出して出力するエンコードデータ読出出力手段と、そのエンコードデータ読出出力手段によって出力されたエンコードデータを格納し、その格納されたエンコードデータを所定のカウント値に基づいてパラレルデータとして出力するパラレルデータ出力手段と、そのパラレルデータ出力手段によって出力されたパラレルデータをシリアルなピット露光信号に変換して出力するパラレルシリアル変換出力手段を備えたピット露光信号発生装置において、上記エンコード処理出力手段は、上記元データ格納手段に格納された元データを順次読み出し、その読み出した元データを先頭から順次エンコード処理し、そのエンコード処理によって得られたエンコードデータを上記パラレルデータ出力手段へ出力する際の出力データ長毎に最終データより先頭データに向けて逆順で出力し、上記パラレルシリアル変換手段は、上記パラレルデータ出力手段から出力されたパラレルデータをシリアルなピット露光信号に変換し、そのピット露光信号の最下位ビットから先に順次出力するピット露光信号発生装置。
【００２０】
（２）光ディスク原盤露光工程において、光ディスク上にピット列からなる情報トラックを形成しようとする元データを格納する元データ格納手段と、その元データ格納手段に格納された元データを順次読み出し、その読み出した元データを先頭から順次エンコード処理してエンコード処理し、そのエンコード処理によって得られたエンコードデータを出力するエンコード処理出力手段と、そのエンコード処理出力手段によって出力されたエンコードデータを格納するエンコードデータ格納手段と、そのエンコードデータ格納手段に格納されたエンコードデータを順次読み出して出力するエンコードデータ読出出力手段と、そのエンコードデータ読出出力手段によって出力されたエンコードデータを格納し、その格納されたエンコードデータを所定のカウント値に基づいてパラレルデータとして出力するパラレルデータ出力手段と、そのパラレルデータ出力手段によって出力されたパラレルデータをシリアルなピット露光信号に変換して出力するパラレルシリアル変換出力手段を備えたピット露光信号発生装置において、上記エンコードデータ読出出力手段は、上記エンコードデータ格納手段に格納されたエンコードデータを、上記パラレルデータ出力手段へ出力する際の出力データ長毎に最終データより先頭データに向けて逆順で順次読み出して出力するピット露光信号発生装置。
【００２１】
また、この発明は上記の第２の目的を達成するため、次の（３）（４）のウォブル露光信号発生装置を提供する。
（３）光ディスク原盤露光工程において、光ディスク上にウォブル列からなる情報トラックを形成しようとする元データを格納する元データ格納手段と、その元データ格納手段に格納された元データを順次読み出し、その読み出した元データを先頭から順次ウォブルエンコード処理し、そのウォブルエンコード処理によって得られた波形指定データを生成して出力する波形指定データ生成出力手段と、その波形指定データ生成出力手段によって出力された波形指定データを格納する波形指定データ格納手段と、その波形指定データ格納手段に格納された波形指定データを順次読み出して出力する第１の波形指定データ読出出力手段と、その第１の波形指定データ読出出力手段によって出力された波形指定データを格納し、その格納された波形指定データを所定のカウント値に基づいて出力する第２の波形指定データ読出出力手段と、その第２の波形指定データ読出出力手段によって出力された波形指定データをウォブル波形のウォブル露光信号として出力するウォブル波形生成出力手段を備えたウォブル露光信号生成装置において、上記波形指定データ生成出力手段は、上記元データ格納手段に格納された元データを順次読み出し、その読み出した元データを先頭より順次ウォブルエンコード処理し、そのウォブルエンコード処理によって得られた波形指定データを生成し、該生成された波形指定データを最終データより先頭データに向けて逆順にし、且つその波形指定データの波形を時間反転した波形にして出力するウォブル露光信号発生装置。
【００２２】
（４）光ディスク原盤露光工程において、光ディスク上にウォブル列からなる情報トラックを形成しようとする元データを格納する元データ格納手段と、その元データ格納手段に格納された元データを順次読み出し、その読み出した元データを先頭から順次ウォブルエンコード処理し、そのウォブルエンコード処理によって得られた波形指定データを生成して出力する波形指定データ生成出力手段と、その波形指定データ生成出力手段によって出力された波形指定データを格納する波形指定データ格納手段と、その波形指定データ格納手段に格納された波形指定データを順次読み出して出力する第１の波形指定データ読出出力手段と、その第１の波形指定データ読出出力手段によって出力された波形指定データを格納し、その格納された波形指定データを所定のカウント値に基づいて出力する第２の波形指定データ読出出力手段と、その第２の波形指定データ読出出力手段によって出力された波形指定データをウォブル波形のウォブル露光信号として出力するウォブル波形生成出力手段を備えたウォブル露光信号生成装置において、上記波形指定データ生成出力手段は、上記元データ格納手段に格納された元データを順次読み出し、その読み出した元データを先頭より順次ウォブルエンコード処理し、そのウォブルエンコード処理によって得られた波形指定データを生成し、該生成された波形指定データの波形を時間反転した波形にして出力し、上記第１の波形指定データ読出出力手段は、上記波形指定データ格納手段に格納された波形指定データの波形を最終データより先頭データに向けて逆順にして読み出して出力するウォブル露光信号発生装置。
【００２３】
さらに、この発明は上記の第３の目的を達成するため、次の（５）のウォブル露光信号発生装置を提供する。
（５）上記（３）又は（４）のウォブル露光信号発生装置において、上記ウォブル波形生成出力手段に、通常の波形指定データと時間反転された波形指定データを対で格納する手段を設けたウォブル露光信号発生装置。
また、この発明は上記の第４の目的を達成するため、次の（６）（７）の光ディスク原盤の露光方法を提供する。
（６）上記（１）又は（２）のピット露光信号発生装置によって出力されたピット露光信号に基づいて上記光ディスク上に形成する情報トラックを末尾より逆順で露光形成する光ディスク原盤の露光方法。
（７）上記（３）又は（４）のウォブル露光信号発生装置によって出力されたウォブル露光信号に基づいて上記光ディスク上に形成する情報トラックを末尾より逆順で露光形成する光ディスク原盤の露光方法。
【００２４】
さらに、この発明は上記の第５の目的を達成するため、次の（８）（９）のピット露光信号発生装置を提供する。
（８）上記（３）又は（４）のピット露光信号発生装置において、上記光ディスク上に形成される情報トラック形成信号を先頭より順次発生させる場合と末尾より逆順で発生させる場合の切り替え手段を設けたピット露光信号発生装置。
（９）上記（３）乃至（５）のいずれかのウォブル露光信号発生装置において、上記光ディスク上に形成される情報トラック形成信号を先頭より順次発生させる場合と末尾より逆順で発生させる場合の切り替え手段を設けたウォブル露光信号発生装置。
また、この発明は上記の第６の目的を達成するため、次の（１０）の光ディスク原盤露光装置を提供する。
【００２５】
（１０）上記（８）のピット露光信号発生装置又は上記（９）のウォブル露光信号発生装置を搭載し、且つターンテーブル回転方向切り替え手段を有する光ディスク原盤露光装置。
さらに、この発明は上記の第７の目的を達成するため、次の（１１）の光ディスク原盤露光装置を提供する。
（１１）上記（１０）の光ディスク原盤露光装置で用いる光ディスクであって、情報トラックが内周から外周へ向けて形成された第１のディスクと、情報トラックが外周から内周へ向けて形成された第２のディスクとを貼り合わせ、上記第１のディスク及び上記第２のディスクに対して同一露光方向で露光されるようにした光ディスク。
【発明の効果】
【００２６】
この発明によるピット露光信号発生装置は、光ディスク上に形成されるピット情報からなる情報トラックを、末尾より逆順で情報トラック形成のための露光信号を発生させることができる。
また、この発明によるウォブル露光信号発生装置は、光ディスク上に形成されるウォブル情報からなる情報トラックを、末尾より逆順で情報トラック形成のための露光信号を発生させることができる。さらに、各ウォブル波形の時間反転した波形指定を容易にできる。
また、この発明による光ディスク原盤の露光方法は、情報トラックがディスク外周から内周へ向けて形成され、データエリアの内周端の半径位置を公差内に容易に収めることが可能になる。
【００２７】
さらに、この発明によるウォブル露光信号発生装置は、光ディスク上に形成される情報トラック形成信号を先頭より順時発生させる場合と末尾より逆順で発生させる場合のどちらにも対応可能なフォーマット信号を発生させることができる。
また、この発明による光ディスク原盤露光装置は、光ディスク上に形成される情報トラック形成信号を先頭より順時露光する場合と末尾より逆順で露光する場合のどちらにも対応可能な光ディスク原盤を露光することができる。
さらに、この発明による光ディスクは、２層式の光ディスクの一方のディスクのデータエリアの開始位置（開始半径位置）およびもう一方のディスクのデータエリアの終了位置（終了半径位置）が規格内に入っている。
【発明を実施するための最良の形態】
【００２８】
以下、この発明を実施するための最良の形態を図面に基づいて具体的に説明する。
以下に示す実施例は、公知技術なので図示と詳細な説明を省略した、光ディスク原盤を搭載するターンテーブルと、そのターンテーブルを回転させる回転駆動手段と、情報トラックとして搭載する情報記録信号に基づいて記録用露光ビームを収束照射させる収束手段および照射手段と、光ディスク原盤を搭載したターンテーブルを光ディスク原盤と平行な平面内で横移動させる横送り駆動手段、あるいは記録用露光ビームの収束手段および照射手段を光ディスク原盤と平行な平面内で横移動させる横送り駆動手段を有し、回転駆動手段と横送り駆動手段の制御により、ＣＡＶ（角速度一定）駆動露光する光ディスク原盤露光装置に適用することができる。
【００２９】
（第１実施例：ピット露光信号発生装置，ピット情報トラック露光信号逆順発生装置）
図１は、この発明の一実施例であるピット露光信号発生装置の構成を示すブロック図であり、図１５と共通する部分には同一符号を付してその説明を省略する。
このピット露光信号発生装置は、図１５に示す従来のピット露光信号発生装置と構成が同じであるが、コントローラ３′，エンコードデータ格納部１４′，Ｐ／Ｓ変換回路１５の各機能が、図１５に示すピット露光信号発生装置のものとは若干異なる。
【００３０】
コントローラ３′は、元データ格納部１に格納された元データを順次読み出し、その読み出した元データをエンコーダ１６によって先頭から順次エンコード処理し、そのエンコード処理によって得られたエンコードデータをピットデータ更新回路４へ出力する際の出力データ長毎に最終データより先頭データに向けて逆順でエンコードデータ格納部１４′へ出力する。
エンコードデータ格納部１４′は、コントローラ３′によって出力されたエンコードデータをピットデータ更新回路４へ出力する際の出力データ長毎に最終データより先頭データに向けて逆順で格納する。
Ｐ／Ｓ変換回路１５は、ピットデータ更新回路４から出力されたパラレルデータをシリアルなピット露光信号に変換し、そのピット露光信号の最下位ビットから先に順次出力する。
【００３１】
図２は、図１に示すピット露光信号発生装置における各処理段階のデータ格納とデータ出力の処理の説明図である。
図２の（ａ）に示すように、コントローラ３′による処理１により、元データ格納部に格納された元データ〔ＡＢ……ＹＺ〕を順次読み出し、その読み出した元データを先頭から順次エンコード処理し、そのエンコード処理によって得られたエンコードデータ〔Ａ′Ｂ′……Ｙ′Ｚ′〕をピットデータ更新回路４へ出力する際の出力データ長毎に最終データより先頭データに向けて逆順にし、エンコードデータ格納部１４′へ出力する。
したがって、図２の（ｂ）に示すように、エンコードデータ格納部１４′には、エンコードデータ〔Ａ′Ｂ′……Ｙ′Ｚ′〕をピットデータ更新回路へ出力する際の出力データ長毎に最終データより先頭データに向けて逆順にしたエンコードデータ〔Ｚ′Ｙ′……Ｂ′Ａ′〕が格納される。
【００３２】
次に、図２の（ｂ）に示すように、コントローラ３′による処理２′により、エンコードデータ格納部１４′に格納されたエンコードデータ〔Ｚ′Ｙ′……Ｂ′Ａ′〕を読み出し、ピットデータ更新回路４へ出力する。したがって、図２の（ｃ）に示すように、ピットデータ更新回路４の第１セクタＲＡＭ９と第２セクタＲＡＭ１０でのエンコードデータのデータ配置は、アドレス下位からアドレス上位の順に〔Ｚ′Ｙ′Ｘ′Ｗ′Ｖ′〕のようになる。そして、図２の（ｄ）に示すように、Ｐ／Ｓ変換回路１５がエンコードデータ〔Ｚ′Ｙ′……Ｂ′Ａ′〕を、Ｐ／Ｓ変換時に最下位ビットを先頭にしたまま出力する。
したがって、ピット露光信号を逆順（時間軸の最後尾から並べ換えたピット露光信号）にして発生させることができる。
このようにして、元データの最後尾データからエンコード処理したエンコードデータをエンコードデータ格納部の先頭アドレスから順次格納し、かつパラレルシリアル変換回路のデータを最下位ビットから出力するので、光ディスク上に形成されるピット情報トラックの最後尾から情報トラック形成のためのピット露光信号を発生させることができる。
【００３３】
（第２実施例：ピット露光信号発生装置，ピット情報トラック露光信号逆順発生装置）
図３は、この発明の他の実施例であるピット露光信号発生装置の構成を示すブロック図であり、図１，図１５と共通する部分には同一符号を付してその説明を省略する。
このピット露光信号発生装置は、図１５に示す従来のピット露光信号発生装置と構成が同じであるが、コントローラ３′，Ｐ／Ｓ変換回路１５の各機能が、図１５に示すピット露光信号発生装置のものとは若干異なる。
【００３４】
コントローラ３′は、元データ格納部１に格納された元データを順次読み出し、その読み出した元データをエンコーダ１６によって先頭から順次エンコード処理し、そのエンコード処理によって得られたエンコードデータをエンコードデータ格納部１４へ出力する。
エンコードデータ格納部１４は、コントローラ３′によって出力されたエンコードデータを格納する。
次に、コントローラ３′は、エンコードデータ格納部１４に格納されたエンコードデータを、ピットデータ更新回路４へ出力する際の出力データ長毎に最終データより先頭データに向けて逆順で順次読み出し、ピットデータ更新回路４へ出力する。
Ｐ／Ｓ変換回路１５は、ピットデータ更新回路４から出力されたパラレルデータをシリアルなピット露光信号に変換し、そのピット露光信号の最下位ビットから先に順次出力する。
【００３５】
図４は、図３に示すピット露光信号発生装置における各処理段階のデータ格納とデータ出力の処理の説明図である。
図４の（ａ）に示すように、コントローラ３′による処理１′により、元データ格納部に格納された元データ〔ＡＢ……ＹＺ〕を順次読み出し、その読み出した元データを先頭から順次エンコード処理し、そのエンコード処理によって得られたエンコードデータ〔Ａ′Ｂ′……Ｙ′Ｚ′〕をエンコードデータ格納部１４へ出力する。
したがって、図４の（ｂ）に示すように、エンコードデータ格納部１４にはエンコードデータ〔Ａ′Ｂ′……Ｙ′Ｚ′〕が格納される。
次に、図４（ｂ）に示すように、コントローラ３′による処理２により、エンコードデータ格納部１４に格納されたエンコードデータ〔Ａ′Ｂ′……Ｙ′Ｚ′〕を、ピットデータ更新回路４へ出力する際の出力データ長毎に最終データより先頭データに向けて逆順で順次読み出して出力する。
【００３６】
したがって、図４の（ｃ）に示すように、ピットデータ更新回路４の第１セクタＲＡＭ９と第２セクタＲＡＭ１０でのエンコードデータのデータ配置は、アドレス下位からアドレス上位の順に〔Ｚ′Ｙ′Ｘ′Ｗ′Ｖ′〕のようになる。そして、図４の（ｄ）に示すように、Ｐ／Ｓ変換回路１５がエンコードデータ〔Ｚ′Ｙ′……Ｂ′Ａ′〕を、Ｐ／Ｓ変換時に最下位ビットを先頭にしたまま出力する。
こうして、ピット露光信号を逆順（時間軸の最後尾から並べ換えたピット露光信号）にして発生させることができる。
このようにして、エンコードデータ格納部からの格納データの最後尾データからの読み出しを行い、ピットデータ更新回路に書き込みを行い、かつパラレルシリアル変換回路のデータを最下位ビットから出力するので、光ディスク上に形成されるピット情報トラックの最後尾から情報トラック形成のためのピット露光信号を発生させることができる。
【００３７】
（第３実施例：ウォブル露光信号発生装置，ウォブル情報トラック露光信号逆順発生装置）
図５は、この発明の一実施例であるウォブル露光信号発生装置の構成を示すブロック図であり、図１７と共通する部分には同一符号を付してその説明を省略する。
このウォブル露光信号発生装置は、図１７に示す従来のウォブル露光信号発生装置と構成が同じであるが、コントローラ２３′，波形指定データ格納部３４′の各機能が、図１７に示すウォブル露光信号発生装置のものとは若干異なる。
【００３８】
コントローラ２３′は、元データ格納部２１に格納された元データを順次読み出し、その読み出した元データをウォブルエンコーダ３６によって先頭より順次ウォブルエンコード処理し、そのウォブルエンコード処理によって得られた波形指定データを生成し、その生成された波形指定データを最終データより先頭データに向けて逆順にし、且つその波形指定データの波形を時間反転した波形にして波形指定データ格納部３４′へ出力する。
波形指定データ格納部３４′は、コントローラ２３′によって出力された波形指定データを格納する。
【００３９】
図６は、図５に示すウォブル露光信号発生装置における各処理段階のデータ格納とデータ出力の処理の説明図である。
図６の（ａ）に示すように、コントローラ２３′による処理３により、元データ格納部２１に格納された元データ〔ａｂ……ｙｚ〕を順次読み出し、その読み出した元データを先頭から順次ウォブルエンコード処理し、そのウォブルエンコード処理によって得られた波形指定データ〔ａ′ｂ′……ｙ′ｚ′〕を生成し、その生成された波形指定データを最終データより先頭データに向けて逆順にし、その波形指定データ〔ｚ′ｙ′……ｂ′ａ′〕の波形を時間反転した波形にし、その波形指定データ〔ｚ″ｙ″……ｂ″ａ″〕を波形指定データ格納部３４′へ出力する。
したがって、図６の（ｂ）に示すように、波形指定データ格納部３４′には、元データ〔ａｂ……ｙｚ〕をウォブルエンコードし、その最終データより先頭データに向けて逆順にし、且つその波形指定データの波形を時間反転した波形の波形指定データ〔ｚ″ｙ″……ｂ″ａ″〕が格納される。
【００４０】
次に、図６の（ｂ）に示すように、コントローラ２３′による処理４′により、波形指定データ格納部３４′に格納された波形指定データ〔ｚ″ｙ″……ｂ″ａ″〕を読み出し、波形指定データ更新回路２４へ出力する。したがって、図６の（ｃ）に示すように、波形指定データ更新回路２４の第１セクタＲＡＭ２９と第２セクタＲＡＭ３０での波形指定データのデータ配置は、アドレス下位からアドレス上位の順に〔ｚ″ｙ″ｘ″ｗ″ｖ″〕のようになる。そして、図６の（ｄ）に示すように、ウォブル波形生成回路３５が波形指定データ〔ｚ″ｙ″……ｂ″ａ″〕をウォブル露光信号として出力する。
したがって、ウォブル露光信号を逆順（時間軸上、ウォブル波形を最後尾から辿ったウォブル露光信号）に発生させることができる。
上記波形指定データの波形を時間反転した波形にすることとは、図７に示すように、時間方向（横軸）に波形を反転させた波形（時間軸に沿って波形の最後尾より前へ波形を辿った波形）にすることである。
【００４１】
このようにして、元データの最後尾データからエンコード処理したエンコードデータをエンコードデータ格納部の先頭アドレスから順次格納し、かつパラレルシリアル変換回路のデータを最下位ビットから出力するので、光ディスク上に形成されるピット情報トラックの最後尾から情報トラック形成のためのピット露光信号を発生させることができる。
元データの最後尾データからウォブルエンコード処理した波形指定データ（ウォブルエンコードデータ）を先頭アドレスから順次格納し、かつ指定波形の時間反転した波形が出力されるので、光ディスク上に形成されるウォブル情報トラックの最後尾から情報トラック形成のためのウォブル露光信号を発生させることができる。
【００４２】
（第４実施例：ウォブル露光信号発生装置，ウォブル情報トラック露光信号逆順発生装置）
図８は、この発明の他の実施例であるウォブル露光信号発生装置の構成を示すブロック図であり、図５，図１７と共通する部分には同一符号を付してその説明を省略する。
このウォブル露光信号発生装置は、図１７に示す従来のウォブル露光信号発生装置と構成が同じであるが、コントローラ２３′の機能が、図１７に示すウォブル露光信号発生装置のものとは若干異なる。
【００４３】
コントローラ２３′は、元データ格納部２１に格納された元データを順次読み出し、その読み出した元データをウォブルエンコーダ３６によって先頭より順次ウォブルエンコード処理し、そのウォブルエンコード処理によって得られた波形指定データを生成し、その生成された波形指定データの波形を時間反転した波形にして波形指定データ格納部３４へ出力する。
【００４４】
図９は、図８に示すウォブル露光信号発生装置における各処理段階のデータ格納とデータ出力の処理の説明図である。
図９の（ａ）に示すように、コントローラ２３′による処理３′により、元データ格納部２１に格納された元データ〔ａｂ……ｙｚ〕を順次読み出し、その読み出した元データを先頭から順次ウォブルエンコード処理し、そのウォブルエンコード処理によって得られた波形指定データ〔ａ′ｂ′……ｙ′ｚ′〕を生成し、その生成された波形指定データの波形を時間反転した波形にし、その波形指定データ〔ａ″ｂ″……ｙ″ｚ″〕を波形指定データ格納部３４へ出力する。
したがって、図９の（ｂ）に示すように、波形指定データ格納部３４には、元データ〔ａｂ……ｙｚ〕をウォブルエンコードし、その波形を時間反転した波形指定データ〔ａ″ｂ″……ｙ″ｚ″〕が格納される。
【００４５】
次に、図９（ｂ）に示すように、コントローラ２３′による処理４により、波形指定データ格納部３４に格納された波形指定データ〔ａ″ｂ″……ｙ″ｚ″〕を最終データより先頭データに向けて逆順にし、その波形指定データ〔ｚ″ｙ″……ｂ″ａ″〕を波形指定データ更新回路２４へ出力する。
したがって、図９の（ｃ）に示すように、波形指定データ更新回路２４の第１セクタＲＡＭ２９と第２セクタＲＡＭ３０での波形指定データのデータ配置は、アドレス下位からアドレス上位の順に〔ｚ″ｙ″ｘ″ｗ″ｖ″〕のようになる。そして、図９の（ｄ）に示すように、ウォブル波形生成回路３５が波形指定データ〔ｚ″ｙ″……ｂ″ａ″〕をウォブル露光信号として出力する。
したがって、ウォブル露光信号を逆順（時間軸上、ウォブル波形を最後尾から辿ったウォブル露光信号）に発生させることができる。
【００４６】
図１０は、この発明の他の実施例であるウォブル露光信号発生装置による逆順ウォブル露光信号生成の一例の説明図である。
図１０の（ａ）に示す波形は、上記波形指定データ格納部３４′に格納された波形指定データ列を示す波形である。
図１０の（ｂ）に示す波形は、上記波形指定データ列を最後尾より読み出し、第１セクタＲＡＭ２９又は第２セクタＲＡＭ３０に逆順で格納したときの波形を示してる。データの順番を逆順としても、対応する波形は従来のままでは、従来の波形（図１０の（ａ）の波形）を時間軸を逆に辿った波形となっていないことが解る。第１セクタＲＡＭ２９又は第２セクタＲＡＭ３０に従来波形の時間反転した波形データと入れ換えることにより、図１０の（ｃ）に示すように、従来波形列を正しく逆順に辿った波形になることがわかる。
【００４７】
このようにして、波形指定データ格納部からの波形指定データの最後尾データからの読み出しを行い、波形指定データ更新回路に書き込みを行い、かつ指定波形の時間反転した波形が出力されるので、光ディスク上に形成されるウォブル情報トラックの最後尾から情報トラック形成のためのウォブル露光信号を発生させることができる。
【００４８】
（第５実施例：他のウォブル露光信号発生装置，他のウォブル情報トラック露光信号逆順発生装置）
このウォブル露光信号発生装置では、上述した第３，４実施例におけるウォブル露光信号発生装置の波形指定データ更新回路２４（ウォブル波形生成出力手段に相当する）の第１セクタＲＡＭ２９，第２セクタＲＡＭ３０（波形指定データ格納手段に相当する）に、通常の波形指定データと時間反転された波形指定データを対で格納する。
このようにして、波形指定データ更新回路２４の第１セクタＲＡＭ２９，第２セクタＲＡＭ３０には、通常の指定波形データと、それらの時間反転した波形指定データとが対で格納されているので、露光を光ディスク上に形成される情報トラックの先頭から行うか、最後尾から行うかを自由に選択することができる。
【００４９】
（第６実施例：光ディスク原盤の露光方法，光ディスク原盤の逆順露光方法）
この光ディスク原盤の露光方法は、上記第１，２実施例のピット露光信号発生装置によって出力されたピット露光信号に基づいて、後述する第９実施例の情報トラックが内周から外周へ向けて形成された第１のディスクと、情報トラックが外周から内周へ向けて形成された第２のディスクとを貼り合わせてなる光ディスク上に情報トラックを形成するとき、第１のディスクに対しては情報トラックを先頭より順に露光形成し、第２のディスクに対しては情報トラックを末尾より逆順で露光形成する。
また、上記第３，４実施例のウォブル露光信号発生装置によって出力されたウォブル露光信号に基づいて、後述する第９実施例の情報トラックが内周から外周へ向けて形成された第１のディスクと、情報トラックが外周から内周へ向けて形成された第２のディスクとを貼り合わせてなる光ディスク上に情報トラックを形成するとき、第１のディスクに対しては情報トラックを先頭より順に露光形成し、第２のディスクに対しては情報トラックを末尾より逆順で露光形成する。
【００５０】
このようにして、光ディスク上に形成する情報トラックの最後尾からの露光信号出力を得ることができ、光ディスク上に形成される情報トラックの再生可能方向と逆方向からの露光が可能となるので、情報トラックが内周から外周へ向けて形成された第１のディスクと、情報トラックが外周から内周へ向けて形成された第２のディスクとを貼り合わせてなる光ディスクに対する露光動作において、第２のディスクの原盤露光動作を第１のディスクの露光動作と同じ方向に行うことができる。
【００５１】
（第７実施例：さらに他のピット露光信号発生装置とウォブル露光信号発生装置，逆順／正順，両用フォーマッタ／シグナルジェネレータ）
このピット露光信号発生装置は、上述した実施例のピット露光信号発生装置のコントローラ３′に、光ディスク上に形成される情報トラック形成信号を先頭より順次発生させる場合と末尾より逆順で発生させる場合の切り替え手段を設け、通常通りの露光動作を行うか、情報トラックの最後尾からの露光動作を行うかを選択して光ディスクに対する露光処理を行う。
また、このウォブル露光信号発生装置は、上述した実施例のウォブル露光信号発生装置のコントローラ２３′に、光ディスク上に形成される情報トラック形成信号を先頭より順次発生させる場合と末尾より逆順で発生させる場合の切り替え手段を設け、通常通りの露光動作を行うか、情報トラックの最後尾からの露光動作を行うかを選択して光ディスクに対する露光処理を行う。
【００５２】
図１１は、このピット露光信号発生装置及びウォブル露光信号発生装置における光ディスクに対する露光動作の処理を示すフローチャート図である。
この処理は、ピット露光信号発生装置の場合、コントローラ３′が、ステップ（図中「Ｓ」で示す）１で光ディスクに対して情報トラックの最後尾からの露光動作を行うか否かを判断し、情報トラックの最後尾からの露光動作を行わない（通常通りの露光動作を行う）と判断したとき、ステップ２で通常の正順露光動作として上述した処理１′，処理２′を行うように処理を切り換え、光ディスクの第１のディスクに対して処理１′，処理２′を実行して露光動作をし、この露光動作の処理を終了する。
また、ステップ１の判断で光ディスクに対して情報トラックの最後尾からの露光動作を行うと判断したとき、ステップ３で逆順露光動作として上述した処理１，処理２′あるいは処理１′，処理２を行うように処理を切り換え、光ディスクの第２のディスクに対して処理１，処理２′あるいは処理１′，処理２を実行して露光動作をし、この露光動作の処理を終了する。
【００５３】
一方、ウォブル露光信号発生装置の場合、コントローラ２３′が、ステップ１で光ディスクに対して情報トラックの最後尾からの露光動作を行うか否かを判断し、情報トラックの最後尾からの露光動作を行わない（通常通りの露光動作を行う）と判断したとき、ステップ２で通常の正順露光動作として上述した処理３′，処理４′を行うように処理を切り換え、光ディスクの第１のディスクに対して処理３′，処理４′を実行して露光動作をし、この露光動作の処理を終了する。
また、ステップ１の判断で光ディスクに対して情報トラックの最後尾からの露光動作を行うと判断したとき、ステップ３で逆順露光動作として上述した処理３，処理４′あるいは処理３′，処理４を行うように処理を切り換え、光ディスクの第２のディスクに対して処理３，処理４′あるいは処理３′，処理４を実行して露光動作をし、この露光動作の処理を終了する。
【００５４】
このようにして、第１のディスク，第２のディスクを貼り合わせてなる光ディスクの上に形成される情報トラック形成信号を先頭より順次出力する場合と、末尾より逆順で出力する場合の切り替え手段を有しているので、光ディスク上に形成される情報トラックの露光を先頭から行うか、最後尾から行うかを自由に選択できるウォブル露光信号出力装置を構成することができる。
【００５５】
（第８実施例：光ディスク原盤露光装置，光ディスク両用原盤露光装置）
この光ディスク原盤露光装置は、上述した実施例のピット露光信号発生装置又はウォブル露光信号発生装置を搭載し、且つターンテーブル回転方向切り換え手段を有し、情報トラックの形成方向（ディスク内周から外周、あるいは外周から内周）の異なるディスクを貼り合わせて１枚の光ディスクとするタイプの光ディスクの原盤露光を行う。
図１２は、この発明の一実施例である光ディスク原盤露光装置の構成を示すブロック図である。
【００５６】
この光ディスク原盤露光装置は、露光レーザ４１，露光光学系４２，光変調器（あるいは光偏光器）４３，フォーカスアクチュエータ４４，ガラス原盤４５，ターンテーブル回転モータ４６，エンコーダ４７，エアスライダモータ４８，スライダモータドライバ４９，横送り制御回路５０，ターンテーブル回転駆動モータドライバ５１，ターンテーブル回転駆動制御回路５２，コントローラ５３，リニアエンコーダ５４，ピット露光信号発生装置（又はウォブル露光信号発生装置）５５，基本クロック発生機５６，ターンテーブル回転駆動クロック生成回路５７，横送り駆動クロック生成回路５８，フォーマッタ駆動クロック生成装置５９，光量変調器６０からなる。
図中のＳＰｅｎｃはターンテーブルエンコーダ出力パルス信号，ＳＰｃｏｎはターンテーブル制御コマンド，ＳＬｅｎｃはリニアエンコーダ出力パルス信号，ＳＬｃｏｎは横送り制御コマンド，ＣＬＫはフォーマッタ基本クロック，Ｆｇｏはフォーマッタスタート信号，Ｆｏｕｔはフォーマット信号である。
【００５７】
露光レーザ４１は、フォトレジストを塗布したガラス原盤４５を露光するための露光レーザを出力する。露光光学系４２は、露光レーザ４１から出射されたレーザ光を整形し、フォーカスアクチュエータ４４へ露光光を導く。
フォーカスアクチュエータ４４は、入射した露光レーザ光を極小スポットに集光させ、絶えず、そのビームウエスト位置をフォトレジスト位置に保つようにフォーカス制御する（フォーカス制御の為の光学系等は公知技術なので図示とその説明を省略する）。
光量変調器６０は、ガラス原盤４５上に照射される露光光の強度を変える。
光変調器（あるいは光偏向器）４３は、ガラス原盤４５上にプリエンボスピットやグルーブあるいはウォブル溝を形成する信号を発生させるフォーマッタである上記実施例のピット露光信号発生装置（又はウォブル露光信号発生装置）５５からのフォーマット信号Ｆｏｕｔに基づいて露光レーザ光をオン／オフ（ｏｎ／ｏｆｆ）あるいはウォブル（蛇行）させる。
【００５８】
基本クロック発生器５６は、ピット露光信号発生装置（又はウォブル露光信号発生装置）５５を駆動するための基本駆動クロックを発生する。
ガラス原盤４５は、ターンテーブル回転モータ４６に吸着され回転させられる。それと同時に、フォーカスアクチュエータ４４はエアスライダモータ４８によって半径方向に移動させられる。また、エンコーダ４７はターンテーブル回転モータ４６にとりつけられ、回転に応じてパルス列を出力する。
リニアエンコーダ５４は、露光スポットの半径位置を検出するリニアスケールである。
スライダモータドライバ４９は、スライダを駆動するためのドライバである。
ターンテーブル回転駆動モータドライバ５１は、ターンテーブルを駆動するためのドライバである。
【００５９】
横送り制御回路５０とターンテーブル回転駆動制御回路５２は、コントローラ５３によって指示される移動および回転指令に対して、滑らかにそして精度良くスライダおよびターンテーブルを追従させるための制御回路である。ここで、リニアスケールの値をプリセットするための絶対位置を検出するためのセンサは省略してある。また、光ディスク原盤露光装置は各種ディスクフォーマットに対応して、２ビーム露光，露光ビームの蛇行等々設定が必要になるが、それらに要する各種露光光学系等は、本発明に直接関係しないので省略した。図中、点線で囲んだ部分は駆動クロック生成装置部分にあたる。
以上の構成からなる光ディスク原盤露光装置により、第１のディスク，第２のディスクを貼り合わせてなる光ディスクの原盤露光を行う。
【００６０】
この光ディスク原盤露光装置は、ピット露光信号発生装置（又はウォブル露光信号発生装置）５５が、上述した各実施例のピット露光信号発生装置（又はウォブル露光信号発生装置）に相当する。また、この光ディスク原盤露光装置では、貼り合わせタイプの光ディスクでは、貼り合わせたディスクをディスクのどちら側から読み出すのか等によって情報トラックを構成するスパイラルトラックの回転の向きを調整する必要が発生するためターンテーブルの回転方向を、作成する原盤に合せて設定（コントローラ５３がターンテーブル制御コマンドＳＰｃｏｎによって設定）できるようにしている。
このようにして、光ディスク上に形成する情報トラックの先頭からあるいは最後尾からの露光を選択でき、またターンテーブルの回転方向も自由に選ぶことができるので、多層メディアのそれぞれの原盤露光に対して、内周から外周へ、あるいは外周から内周へといった同一方向への露光動作のもとで露光を行うことができる。
【００６１】
（第９実施例：光ディスク）
この実施例の光ディスクは、上述した第８実施例の光ディスク原盤露光装置で用いる光ディスクであって、情報トラックが内周から外周へ向けて形成された第１のディスクと、情報トラックが外周から内周へ向けて形成された第２のディスクとを貼り合わせ、上記第１のディスク及び上記第２のディスクに対して同一露光方向で露光されるようにした光ディスクである。
【００６２】
上記光ディスク原盤露光装置によって第１のディスクに対して正順に情報トラックが内周から外周へ向けて形成され、第２のディスクに対して逆順に情報トラックが外周から内周へ向けて形成される。その形成時の露光方向は第１のディスク，第２のディスク共に同一露光方向である。
このようにして、この光ディスクは第１のディスク，第２のディスクに同じ露光動作によって情報トラックの形成が行われているので、トラックフォーマットの形成精度の一致した多層メディアを得ることができる。
【産業上の利用可能性】
【００６３】
この発明によるピット露光信号発生装置，ウォブル露光信号発生装置，光ディスク原盤の露光方法，光ディスク原盤露光装置は、各種の光ディスクドライブに、この発明による光ディスクは、ＣＤ系，ＤＶＤ系の各種の光ディスクにそれぞれ適用することができる。
【図面の簡単な説明】
【００６４】
【図１】この発明の一実施例であるピット露光信号発生装置の構成を示すブロック図である。
【図２】この発明の一実施例であるピット露光信号発生装置における各処理段階のデータ格納とデータ出力の処理の説明図である。
【図３】この発明の他の実施例であるピット露光信号発生装置の構成を示すブロック図である。
【図４】この発明の他の実施例であるピット露光信号発生装置における各処理段階のデータ格納とデータ出力の他の処理例の説明図である。
【図５】この発明の一実施例であるウォブル露光信号発生装置の構成を示すブロック図である。
【００６５】
【図６】この発明の一実施例であるウォブル露光信号発生装置における各処理段階のデータ格納とデータ出力の処理の説明図である。
【図７】時間反転波形の一例を示す波形図である。
【図８】この発明の他の実施例であるウォブル露光信号発生装置の構成を示すブロック図である。
【図９】この発明の他の実施例であるウォブル露光信号発生装置における各処理段階のデータ格納とデータ出力の他の処理例の説明図である。
【００６６】
【図１０】この発明の他の実施例であるウォブル露光信号発生装置による逆順ウォブル露光信号生成の一例の説明図である。
【図１１】この発明の一実施例であるピット露光信号発生装置とウォブル露光信号発生装置における処理を示すフローチャート図である。
【図１２】この発明の一実施例である光ディスク原盤露光装置の構成を示すブロック図である。
【図１３】貼り合わせ２層ディスクの概観図である。
【図１４】貼り合わせ２層ディスクのトラックフォーマット構成例を示す図である。
【００６７】
【図１５】従来のピット露光信号発生装置の構成を示すブロック図である。
【図１６】従来のピット露光信号発生装置における各処理段階のデータ格納とデータ出力の処理の説明図である。
【図１７】従来のウォブル露光信号発生装置の構成を示すブロック図である。
【図１８】従来のウォブル露光信号発生装置における各処理段階のデータ格納とデータ出力の処理の説明図である。
【図１９】従来のウォブル信号生成回路の構成を示すブロック図である。
【符号の説明】
【００６８】
１，２１：元データ格納部    ２，１４，１４′：エンコードデータ格納部    ３，３′，２３，２３′：コントローラ    ４：ピットデータ更新回路    ５，１５：Ｐ／Ｓ変換回路    ６，１６：エンコーダ    ７，２７：第１データライン切換回路    ８，２８：第２データライン切換回路    ９，２９：第１セクタＲＡＭ    １０，３０：第２セクタＲＡＭ    １１，３１：第１アドレスライン切換回路    １２，３２：第２アドレスライン切換回路    １３，３３：アドレスカウンタ    ２２：波形指定データ格納部    ２４，３４，３４′：波形指定データ更新回路    ２５，３５：ウォブル波形生成回路    ２６，３６：ウォブルエンコーダ    ４１：露光レーザ    ４２：露光光学系    ４３：光変調器（あるいは光偏光器）    ４４：フォーカスアクチュエータ    ４５：ガラス原盤    ４６：ターンテーブル回転モータ    ４７：エンコーダ    ４８：エアスライダモータ    ４９：スライダモータドライバ    ５０：横送り制御回路    ５１：ターンテーブル回転駆動モータドライバ    ５２：ターンテーブル回転駆動制御回路    ５３：コントローラ    ５４：リニアエンコーダ    ５５：ピット露光信号発生装置（又はウォブル露光信号発生装置）    ５６：基本クロック発生機    ５７：ターンテーブル回転駆動クロック生成回路    ５８：横送り駆動クロック生成回路    ５９：フォーマッタ駆動クロック生成装置    ６０：光量変調器    ７０：第１ディスク    ７１：第２ディスク    ７２：情報トラック    ７３：インフォメーションエリア    ７４：データエリア    ７５：リードインエリア    ７６：リードアウトエリア    ８０：波形データＲＡＭ    ８１：Ｄ／Ａ変換回路
【図１】
2005332523.tif 000003
【図２】
2005332523.tif 000004
【図３】
2005332523.tif 000005
【図４】
2005332523.tif 000006
【図５】
2005332523.tif 000007
【図６】
2005332523.tif 000008
【図７】
2005332523.tif 000009
【図８】
2005332523.tif 000010
【図９】
2005332523.tif 000011
【図１０】
2005332523.tif 000012
【図１１】
2005332523.tif 000013
【図１２】
2005332523.tif 000014
【図１３】
2005332523.tif 000015
【図１４】
2005332523.tif 000016
【図１５】
2005332523.tif 000017
【図１６】
2005332523.tif 000018
【図１７】
2005332523.tif 000019
【図１８】
2005332523.tif 000020
【図１９】
2005332523.tif 000021